(57)【要約】【課題】複数針について左右幅を変更させることなく前後幅を広狭できる針間隔調節式針留め付きミシンを提供する。【解決手段】ルーパ土台に取付けられ針板の下方で左右動するルーパと、針板上方に配置され針棒取付け用のネジ部を有する主針留めと、該主針留めに位置調節可能に止めネジで嵌合される副針留めと、各針留めに夫々個別に嵌合し降下時に針板の針孔を貫通する複数針とを備え、止めネジの弛緩時に主針留めに対する副針留めの嵌合位置を変更し、複数針の間隔を広狭できる針間隔調節式針留め付きミシンにおいて、主針留めに対する副針留めの嵌合位置変更を主針留めに直線的に形成された前後スリットで行い、複数針のうち少なくとも２本針による布貫通ラインを幅細で互いに沿わせるようにした。【選択図】        図１
2004215726.tif 000002
【特許請求の範囲】
【請求項１】
ルーパ土台に取付けられ針板の下方で左右動するルーパと、針板上方に配置され針棒取付け用のネジ部を有する主針留めと、該主針留めに位置調節可能に止めネジで嵌合される副針留めと、各針留めに夫々個別に嵌合し降下時に針板の針孔を貫通する複数針とを備え、止めネジの弛緩時に主針留めに対する副針留めの嵌合位置を変更し、複数針の間隔を広狭できる針間隔調節式針留め付きミシンにおいて、主針留めに対する副針留めの嵌合位置変更を主針留めに直線的に形成された前後スリットで行い、複数針のうち少なくとも２本針による布貫通ラインを幅細で互いに沿わせるようにしたことを特徴とする針間隔調節式針留め付きミシン。
【請求項２】
各針留めに嵌合された複数針が、前後スリットの摺動面側に配置されている請求項１記載の針間隔調節式針留め付きミシン。
【請求項３】
ルーパが複数針に対応して複数個備えられ、副針留めの針に関与するルーパがルーパホルダーを介してルーパ土台に前後位置調節可能に取付けられる請求項２記載の針間隔調節式針留め付きミシン。
【請求項４】
針板が下面にガイド片を備え、該ガイド片が針板の針孔を布送り方向より部分的に塞ぐ請求項２または３に記載の針間隔調節式針留め付きミシン。
【発明の詳細な説明】
【０００１】
【産業上の利用分野】
本発明は、針留めで複数針の間隔を変更できる針間隔調節式針留め付きミシンに関するものである。
【０００２】
【従来の技術】
従来の針間隔調節式針留め付きミシンでは、止めネジの弛緩時に副針留め（補助針留め）を主針留め（針留め本体）に対して回動させることにより複数の針の間隔を調節していた（例えば、特許文献１参照。）。
【０００３】
【特許文献１】
実開平３−１０３０８５号公報（第１頁、第１図）
【０００４】
【発明が解決しようとする課題】
ところが、従来の針間隔調節式針留め付きミシンでは、特に複数針の前後幅を広げるよう主針留めに対する副針留めの嵌合位置を変更すると複数針の左右幅も大きくなってしまい、所定の縫製品質を得ることができなかった。
従って、本発明の課題は、複数針について左右幅を変更させることなく前後幅を広狭できる針間隔調節式針留め付きミシンを提供することを目的としている。
【０００５】
【課題を解決するための手段】
本発明は、上記目的を達成するために、ルーパ土台に取付けられ針板の下方で左右動するルーパと、針板上方に配置され針棒取付け用のネジ部を有する主針留めと、該主針留めに位置調節可能に止めネジで嵌合される副針留めと、各針留めに夫々個別に嵌合し降下時に針板の針孔を貫通する複数針とを備え、止めネジの弛緩時に主針留めに対する副針留めの嵌合位置を変更し、複数針の間隔を広狭できる針間隔調節式針留め付きミシンにおいて、主針留めに対する副針留めの嵌合位置変更を主針留めに直線的に形成された前後スリットで行い、複数針のうち少なくとも２本針による布貫通ラインを幅細で互いに沿わせるようにしたことを特徴とする。
【０００６】
なお各針留めに嵌合された複数針を前後スリットの摺動面側に配置するのが望ましい。またルーパを複数針に対応して複数個備えさせ、副針留めの針に関与するルーパをルーパ土台にルーパホルダーを介して前後位置調節可能に取付けるとよい。さらに、針板の下面にガイド片を備え、該ガイド片で針板の針孔を布送り方向より部分的に塞ぐようにするとよい。
【０００７】
【作用】
本発明によれば、主針留めに対する副針留めの嵌合位置は、主針留めに直線的に形成された前後スリットに沿って変更される。この副針留めの嵌合位置を変更する際、対応するルーパも併せて変更するとよく、また針板下のガイド片で針板の針孔を布送り方向より部分的に塞ぐようにすると更によい。
【０００８】
【発明の実施の形態】
以下、図面を用いて本発明に係る実施の形態を説明する。図１は、本発明に係る針間隔調節式針留め付きミシンの要部斜視図である。針板１は布積載台２にネジ３で固定され、双方の上面は同一平面上にある。針板１の上方には押え金４が配置されている。この押え金４は押え棒５にネジ６で固定され、押え棒５はミシンアーム内に配置のコイルバネ（図示せず）で下方に押圧される。つまり押え金４は布地を針板１に押圧することとなる。針板１の下方には公知の送り歯（図示せず）が配置されている。この送り歯は針板のスリットより間欠的に出没し、送り歯の出現時に押え金４と協働することで布地は布送り方向Ｆに搬送される。
【０００９】
また針板１の上方には針株７が配置されている。針株７は主針留め８と副針留め９とで構成されている。主針留め８は、図２で示されるように、針棒取付け用のネジ部８ａを有し、そのネジ部８ａは針棒１０の下端に嵌め込まれている。主針留め８は前後スリット１１を備えている。前後スリット１１は主針留め８より手前へ直線的に延びており、その左側に凹状の摺動面１１ａを有する。なお主針留め８の下端には針嵌合孔が開口され、右針１２の上部は針嵌合孔で固定されている。
【００１０】
主針留め８の前後スリット１１には副針留め９が配置されている。この副針留め９は前後スリット１１の凹状摺動面にスライド可能に嵌合され、その固定は前後スリット１１に形成の長孔１１ｂを介して止めネジ１４で行われる。副針留め９の下端には針嵌合孔が開口され、左針１３の上部は針嵌合孔で固定される。なお各針留め８，９に嵌合された複数針１２，１３は前後スリット１１の摺動面１１ａ側に配置されている。また針棒１０は、ミシンアーム内に配置された公知の針駆動装置により上下に摺動し、各針１２，１３は降下時に押え金４および針板１の針孔を夫々貫通する。各針留め８，９の針嵌合孔部分を前後にズラして形成させることで、図４に示されるように、縫製時の針１２，１３による布貫通ラインＬ１，Ｌ２を幅細で互いに沿わせるようにしている。
【００１１】
針板１の下方には複数のルーパ１５，１６が配置されている。一方のルーパ１５は右針１２に関与し、その基部はルーパ土台１７に取付けられている。ルーパ土台１７は揺動軸１８にネジ１９で固定され、揺動軸１８はミシン主軸（図示せず）の回転に連動して布送り方向Ｆと交差する方向に揺動（左右動）する。他方のルーパ１６は一方のルーパ１５より手前に配置されている。ルーパ１６は左針１３に関与し、その基部はルーパホルダー２０に取付けられている。ルーパホルダー２０は摺動部２０ａを有し、その摺動部２０ａはルーパ土台１７に形成の凹状摺動面にネジ２０ｂで固定される。ルーパホルダー２０はネジ２０ｂの弛緩時にルーパ土台１７の凹状摺動面に沿って前後にスライド可能となっている。つまり副針留めの針１３に関与するルーパ１６は、ルーパホルダー２０を介して前後位置調節可能にルーパ土台１７に取付けられている。
【００１２】
針板１の下面には、図３に示されるように、ガイド片２１が付設されている。ガイド片２１は針板１の長孔１ａを介してネジ２２で固定されており、針板１の針孔１ｂ，１ｃのうち左針１３貫通用の針孔１ｂはガイド片２１で布送り方向Ｆより部分的に塞がれている。なお押え金の針孔のうち左針１３貫通用の針孔２３は長孔となっており、主針留め８に対する副針留め９の位置変更後においても左針１３が長孔２３内を貫通することとなる。また長孔１ａ周辺の針板上面を窪ませ、ネジ２２を針板１より上方に突出しないようにしている。これは布地搬送の妨げを防ぐための構造である。
【００１３】
【発明の効果】
以上のように、本発明によれば、主針留めに対する副針留めの嵌合位置を主針留めに直線的に形成された前後スリットにより変更するので、複数針の前後幅を広げる際に左右幅を気にすることなく、複数針のうち少なくとも２本針による布貫通ラインを幅細で互いに沿わせることができる。
【図面の簡単な説明】
【図１】本発明に係る針間隔調節式針留め付きミシンの要部斜視図である。
【図２】同ミシンの両針留めを示す分解斜視図である。
【図３】同ミシンの針板の要部を示す概略平面図である。
【図４】同ミシンによる縫製時の布貫通ラインを示す概略平面図である。
【符号の説明】
１            針板
１ｂ，１ｃ    針孔
８ａ          ネジ部
９            副針留め
１０          針棒
１１          前後スリット
１１ａ        摺動面
１２，１３    針
１４          止めネジ
１５，１６    ルーパ
１７          ルーパ土台
２０          ルーパホルダー
２１          ガイド片
Ｆ            布送り方向
Ｌ１，Ｌ２    布貫通ライン
【図１】
2004215726.tif 000003
【図２】
2004215726.tif 000004
【図３】
2004215726.tif 000005
【図４】
2004215726.tif 000006